【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
励起光源と、
該励起光源からの射出光を励起光として発光する蛍光体層が周方向に敷設された蛍光ホイールと、
該蛍光ホイールを駆動するホイールモータと、
前記蛍光体層に前記励起光源による励起光が照射されている状態で、前記ホイールモータを停止させるか駆動させるかを決定するモータ制御手段と、
を備えることを特徴とする光源ユニット。
【請求項２】
前記励起光源に流れる駆動電流を測定する励起電流測定手段と、
前記励起光源に流れる駆動電流の値と前記ホイールモータの停止又は駆動との関係に関する情報が記憶された制御情報記憶手段と、をさらに備え、
前記モータ制御手段は、前記励起電流測定手段から送出された駆動電流の値と前記制御情報記憶手段に記憶された情報とを対比し、前記制御情報記憶手段に記憶された情報を基に前記ホイールモータを停止させるか駆動させるかを決定することを特徴とする請求項１に記載の光源ユニット。
【請求項３】
前記制御情報記憶手段には、前記ホイールモータの停止又は駆動の条件となる前記励起光源に流れる境界駆動電流の情報である境界駆動電流情報が記憶され、
前記モータ制御手段は、前記励起光源を流れる駆動電流の値が前記境界駆動電流未満の場合に前記ホイールモータを停止させると決定し、前記励起光源を流れる駆動電流の値が前記境界駆動電流以上の場合に前記ホイールモータを駆動させると決定することを特徴とする請求項２に記載の光源ユニット。
【請求項４】
前記制御情報記憶手段には、前記励起光源に流れる駆動電流と前記蛍光ホイールの回転速度とに関する情報が記憶され、
前記モータ制御手段は、前記励起光源を流れる駆動電流の値に応じた前記蛍光ホイールの回転速度となるように前記ホイールモータを制御することを特徴とする請求項２又は請求項３に記載の光源ユニット。
【請求項５】
赤色波長帯域光を射出する赤色光源と、
青色波長帯域光を射出する青色光源と、
前記励起光源、前記赤色光源及び前記青色光源を時分割制御する光源制御手段と、
をさらに備えることを特徴とする請求項１乃至請求項４のいずれか１項に記載の光源ユニット。
【請求項６】
当該光源ユニットからの射出光の照度を測定する照度測定手段と、
当該光源ユニットからの出力に関する情報が予め記憶された出力情報記憶手段と、
前記照度測定手段から送出される出力情報と前記出力情報記憶手段に予め記憶された出力情報とを比較し、前記照度測定手段から送出される出力情報が予め記憶された出力情報と同一になるよう当該光源ユニットに流す電流を調整する電流制御手段と、
をさらに備えることを特徴とする請求項１乃至請求項５の何れかに記載の光源ユニット。
【請求項７】
射出する光源光の輝度が異なる複数の輝度モードを備え、
前記モータ制御手段は、前記輝度モードに応じて前記ホイールモータを停止させるか駆動させるかを決定することを特徴とする請求項１乃至請求項６のいずれか１項に記載の光源ユニット。
【請求項８】
前記蛍光ホイールは、該励起光源からの射出光を受けて緑色波長帯域光を射出することを特徴とする請求項１乃至請求項７のいずれか１項に記載の光源ユニット。
【請求項９】
光源ユニットと、
表示素子と、
前記光源ユニットからの射出光を前記表示素子まで導光する導光光学系と、
前記表示素子で生成された投影光を投影する投影側光学系と、
を備え、
前記光源ユニットが、請求項１乃至請求項８の何れかに記載の光源ユニットであることを特徴とするプロジェクタ。
【手続補正２】
【補正対象書類名】明細書
【補正対象項目名】０００８
【補正方法】変更
【補正の内容】
【０００８】
本発明は上述したような従来技術の問題点に鑑みてなされたものであり、蛍光体を損傷させないようにしつつ電力消費量を削減できる光源ユニットを提供することを目的としている。
また、この光源ユニットを備えることにより投影時の電力消費量を削減できるプロジェクタを提供することを目的としている。
【手続補正３】
【補正対象書類名】明細書
【補正対象項目名】０００９
【補正方法】変更
【補正の内容】
【０００９】
本発明の光源ユニットは、励起光源と、該励起光源からの射出光を励起光として発光する蛍光体層が周方向に敷設された蛍光ホイールと、該蛍光ホイールを駆動するホイールモータと、前記蛍光体層に前記励起光源による励起光が照射されている状態で、前記ホイールモータを停止させるか駆動させるかを決定するモータ制御部と、を備えることを特徴とする。
【手続補正４】
【補正対象書類名】明細書
【補正対象項目名】００１０
【補正方法】変更
【補正の内容】
【００１０】
また、本発明の光源ユニットは、前記励起光源に流れる駆動電流を測定する励起電流測定手段と、前記励起光源に流れる駆動電流の値と前記ホイールモータの停止又は駆動との関係に関する情報が記憶された制御情報記憶手段と、をさらに備え、前記モータ制御手段は、前記励起電流測定手段から送出された駆動電流の値と前記制御情報記憶手段に記憶された情報とを対比し、前記制御情報記憶手段に記憶された情報を基に前記ホイールモータを停止させるか駆動させるかを決定することを特徴とする
【手続補正５】
【補正対象書類名】明細書
【補正対象項目名】００１１
【補正方法】変更
【補正の内容】
【００１１】
この光源ユニットにおいて、前記制御情報記憶手段には、前記ホイールモータの停止又は駆動の条件となる前記励起光源に流れる境界駆動電流の情報である境界駆動電流情報が記憶され、前記モータ制御手段は、前記励起光源を流れる駆動電流の値が前記境界駆動電流未満の場合に前記ホイールモータを停止させると決定し、前記励起光源を流れる駆動電流の値が前記境界駆動電流以上の場合に前記ホイールモータを駆動させると決定することを特徴とする。
【手続補正６】
【補正対象書類名】明細書
【補正対象項目名】００１３
【補正方法】変更
【補正の内容】
【００１３】
そして、本発明の光源ユニットは、赤色波長帯域光を射出する赤色光源と、青色波長帯域光を射出する青色光源と、前記励起光源、前記赤色光源及び前記青色光源を時分割制御する光源制御手段と、をさらに備えることを特徴とする。
また、本発明の光源ユニットは、当該光源ユニットからの射出光の照度を測定する照度測定手段と、当該光源ユニットからの出力に関する情報が予め記憶された出力情報記憶手段と、前記照度測定手段から送出される出力情報と前記出力情報記憶手段に予め記憶された出力情報とを比較し、前記照度測定手段から送出される出力情報が予め記憶された出力情報と同一になるよう当該光源ユニットに流す電流を調整する電流制御手段と、をさらに備えることを特徴とする。
【手続補正７】
【補正対象書類名】明細書
【補正対象項目名】００１４
【補正方法】変更
【補正の内容】
【００１４】
また、本発明の光源ユニットは、射出する光源光の輝度が異なる複数の輝度モードを備え、前記モータ制御手段は、前記輝度モードに応じて前記ホイールモータを停止させるか駆動させるかを決定することを特徴とする。
そして、本発明の光源ユニットにおいて、前記蛍光ホイールは、該励起光源からの射出光を受けて緑色波長帯域光を射出することを特徴とする。
【手続補正８】
【補正対象書類名】明細書
【補正対象項目名】００１５
【補正方法】変更
【補正の内容】
【００１５】
本発明に係るプロジェクタは、光源ユニットと、表示素子と、前記光源ユニットからの射出光を前記表示素子まで導光する導光光学系と、前記表示素子で生成された投影光を投影する投影側光学系と、を備え、前記光源ユニットが、上述の本発明の光源装置であることを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
本発明によれば、蛍光体を損傷させないようにしつつ電力消費量を削減できる光源ユニットと、この光源ユニットを備えることにより投影時の電力消費量を削減できるプロジェクタと、を提供することができる。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
以下、本発明の実施形態を図に基づいて詳説する。図１は、プロジェクタ1の外観斜視図である。なお、本実施例において、プロジェクタ1における左右とは投影方向に対しての左右方向を示し、前後とはプロジェクタ1の投影方向及び光線束の進行方向に対しての前後方向を示す。